(57)【要約】【課題】検出器自体の脱落を防止するとともに、筐体に接続されたコネクタの脱落をも防止可能な検出器の取付構造を提供する。【解決手段】検出器の背面側には、収容空間から突出した状態で挿入されたコネクタが接続され、収容構造体の背面には、検出器の背面と接触する支持面と、突出した状態のコネクタの背面と接触する支持面とを有する抜け止めカバーが取り付けられた構成とした。【選択図】図３
2014045882.tif 000002
【特許請求の範囲】
【請求項１】
遊技機に設けられた収容構造体の収容空間に収容された検出器の取付構造であって、
前記検出器の背面側には、前記収容空間から突出した状態で挿入されたコネクタが接続され、
前記収容構造体の背面には、前記検出器の背面と接触する支持面と、前記突出した状態のコネクタの背面と接触する支持面とを有する抜け止めカバーが取り付けられたことを特徴とする検出器の取付構造。
【請求項２】
前記突出した状態のコネクタの背面と接触する支持面は、前記検出器の背面と接触する支持面よりも前記コネクタの突出寸法分、後方に位置することを特徴とする請求項１記載の取付構造。
【請求項３】
前記抜け止めカバーは、前記突出した状態のコネクタの背面と接触する支持面に囲まれたハーネス導出口を有し、前記コネクタの背面から延在するハーネスが前記ハーネス導出口を介して引き出されたことを特徴とする請求項１又は請求項２記載の取付構造。
【発明の詳細な説明】
【技術分野】
【０００１】
本発明は、検出器の取付構造に関し、特に遊技機に配設される検出器の取付構造に関する。
【背景技術】
【０００２】
従来、遊技機の一例としてのパチンコ機には、磁石を用いた不正な遊技を防止するための検出器の一例として、磁気検出器が遊技盤の背面に所定の取付機構を介して配設されている。
【０００３】
しかしながら、磁気センサーを始めとする検出器の多くは、検出素子が組み込まれた箱型の筐体に対して、外部に配設された制御装置との通信を可能とするためのハーネスを有したコネクタが接続されており、筐体自体が取付機構から脱落することは防止できても、コネクタが筐体から脱落することを防止する対策が講じられていないのが実情である。
【先行技術文献】
【特許文献】
【０００４】
【特許文献１】特開２００５−０２１３４２号公報
【発明の概要】
【発明が解決しようとする課題】
【０００５】
本発明は上記課題を解決するため、検出器自体の脱落を防止するとともに、筐体に接続されたコネクタの脱落をも防止可能な検出器の取付構造を提供する。
【課題を解決するための手段】
【０００６】
上記課題を解決するための構成として、遊技機に設けられた収容構造体の収容空間に収容された検出器の取付構造であって、検出器の背面側には、収容空間から突出した状態で挿入されたコネクタが接続され、収容構造体の背面には、検出器の背面と接触する支持面と、突出した状態のコネクタの背面と接触する支持面とを有する抜け止めカバーが取り付けられた構成とした。
また、他の構成として、突出した状態のコネクタの背面と接触する支持面が検出器の背面と接触する支持面よりもコネクタの突出寸法分、後方に位置する構成とした。
また、他の構成として、抜け止めカバーが、突出した状態のコネクタの背面と接触する支持面に囲まれたハーネス導出口を有し、コネクタの背面から延在するハーネスがハーネス導出口を介して引き出された構成とした。
【発明の効果】
【０００７】
上記各構成に係る検出器の取付構造によれば、検出器及びコネクタが抜け止めカバーによって適切に支持されるため、検出器及び検出器に接続されたコネクタの脱落を確実に防止できる。
【図面の簡単な説明】
【０００８】
【図１】実施形態に係るパチンコ機の外観斜視図である。
【図２】図１に示すパチンコ機に搭載された遊技盤の背面図である。
【図３】検出器の取付構造を示す分解斜視図である。
【図４】検出器の取付構造を示す断面図（図３のＡ−Ａ断面）である。
【図５】検出器の取付構造を示す拡大断面図である。
【発明を実施するための形態】
【０００９】
以下、図１〜図５を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。また、以下の説明においては、本発明に係る検出器の取付構造を遊技機の一例としてのパチンコ機に適用した例により説明するが、当該取付構造はパチスロ機等、何らかの検出器を搭載した遊技機であれば如何なる遊技機にも適用可能である。
なお、以下の説明においてパチンコ機の各部の上下左右方向は、そのパチンコ機に対面する遊技者にとっての上下左右方向に一致させて説明する。
【００１０】
図１に示すように、本実施形態に係るパチンコ機１は、遊技場の島設備に設置される縦長方形状の機枠２と、この機枠２の側部に軸着され、開閉自在に取り付けられた本体枠３と、当該本体枠３の内側に装着された遊技盤３０と、本体枠３の前面に軸着されて開閉自在に取り付けられ、中央に大きく設けられたガラス窓４Ａ及び当該ガラス窓４Ａの下方に設けられた受皿６を有するパネル扉４と、本体枠３の下部に配設された図外の発射装置と、パネル扉４の下部に取り付けられたハンドル７と、パネル扉４の左右の上部にそれぞれ設けられたスピーカ８、及びパネル扉４の内部に配設された図外の複数の発光体を備える。
【００１１】
図２に示すように、本体枠３の内側に装着された遊技盤３０の背面側にはＡＢＳ樹脂等からなるセット板とも呼ばれるケーシング２０が、周囲に開設された複数のネジ穴２０Ａを介して、遊技盤３０の背面における下部に固定されている。ケーシング２０には、遊技盤３０の前面に形成されたほぼ円形の遊技領域内に配設された図外の複数の入賞部品を介して取り込まれた遊技球を検知する複数の球検出器２１や、入賞部品を介して取り込まれた遊技球を下流側に誘導する複数の球誘導路２２、及び遊技盤３０の前面に近接する磁気を検知する磁気検出器５０Ａ乃至５０Ｄ等が設けられる。磁気検出器５０Ａは、磁石を用いて遊技球を特定の入賞口に誘導するような不正な遊技を防止するために配設される。
【００１２】
また、ケーシング２０の背後には図外の収容体や支持部材等を介して、パチンコ機１の遊技全般の制御処理を実行する図外の主制御装置、当該主制御装置から送信されるコマンドに基づいて、遊技盤３０に開設された開口部３１を介して取り付けられる図外の液晶表示装置等の演出表示装置を制御する副制御装置、遊技領域に配設された入賞部品への遊技球の入賞に対して図外の払出装置を制御し、遊技者に対して所定の賞球を払出す払出制御装置、遊技者によるハンドル７の操作量に応じて所定の駆動力によって遊技球を遊技領域に向けて打ち出す発射制御装置等の各種の制御装置が搭載される。
これらの制御装置は、いずれも何れもＣＰＵ（Ｃｅｎｔｒａｌ  Ｐｒｏｃｅｓｓｉｎｇ  Ｕｎｉｔ）と、遊技処理に必要なプログラム、及び、遊技処理に必要なデータを格納したＲＯＭ（Ｒｅａｄ  Ｏｎｌｙ  Ｍｅｍｏｒｙ）と、ＣＰＵがＲＯＭに格納されたコンピュータプログラムに従って処理を行うための一時記憶領域であるＲＡＭ（Ｒａｎｄｏｍ  Ａｃｃｅｓｓ  Ｍｅｍｏｒｙ）とを備えるマイクロコンピュータである。
【００１３】
次に、図２，図３を参照して、ケーシング２０に取り付けられた検出器のうち、特に磁気検出器５０Ａ乃至５０Ｄの取付構造について詳説する。
図３は、ケーシング２０の一部に設けられた収容構造体２５と、当該収容構造体２５内に収容される磁気検出器５０Ａ、当該磁気検出器５０Ａに接続されたコネクタ５５、及び抜け止めカバー６０の分解斜視図である。図４は、収容構造体２５の内部に磁気検出器５０Ａが収容された状態を示す断面図である。なお、磁気検出器５０Ａ乃至５０Ｄの取付構造については、取り付けの向きを除いて全て同様であるため、磁気検出器５０Ａを代表として説明する。
【００１４】
各図に示すように、ケーシング２０に設けられた収容構造体２５は、遊技盤３０の背面と接し、ケーシング２０の一部を構成する前壁部２５Ａと、前壁部２５Ａより後方に立ち上がる左右一対の側壁部２５Ｂ；２５Ｃ、及び前壁部２５Ａより後方に立ち上がる上下一対の上壁部２５Ｄ、及び下壁部２５Ｅにより一体的に形成され、各壁部によって囲まれた収容空間Ｒ１を有する。
各壁部により形成される収容空間Ｒ１の断面形状は、箱型に形成された磁気検出器５０Ａの外形形状と対応しており、磁気検出器５０Ａが収容構造体２５の後方に形成された挿入孔２６を介して前方に向けて挿入されると、後端面５１Ｆを除く磁気検出器５０Ａの前端面５１Ａ，左右の側端面５１Ｂ；５１Ｃ，上端面５１Ｄ及び下端面５１Ｅが、それぞれ対応する壁部（２５Ａ乃至２５Ｅ）の内周面と接した状態で取り囲まれる。
【００１５】
図４に示すように、収容構造体２５の後方において開口する矩形な挿入孔２６を形成する側壁部２５Ｂ；２５Ｃ、上壁部２５Ｄ、及び下壁部２５Ｅの後端面（背面）２７は、収容された状態の磁気検出器５０Ａの後端面５１Ｆとほぼ面一となっており、磁気検出器５０Ａの外形全体が収容空間Ｒ１から露出することなく収容される。つまり、収容構造体２５の収容空間Ｒ１の前後方向の寸法Ｄ１は、磁気検出器５０Ａの前後方向の寸法Ｄ２と一致している。
【００１６】
磁気検出器５０Ａは、箱型の筐体内に図外の磁気検出素子が組み込まれた電子部品であって、当該磁気検出素子から出力される磁気検知信号は、磁気検出器５０Ａの後端面（背面）５１Ｆに開設されたコネクタ受部５２に接続されるコネクタ５５より延在する複数のハーネス５６を介して、前述した主制御装置等の制御装置側に送出される。
【００１７】
コネクタ５５は、磁気検出器５０Ａの後端面５１Ｆに開設されたコネクタ受部５２の断面形状と合致するほぼ矩形な外形を有する。コネクタ受部５２及びコネクタ５５の双方には、所定の嵌め合い形状が施されており、コネクタ受部５２にコネクタ５５を挿入することにより互いに嵌め合わされる。また、コネクタ５５がコネクタ受部５２に嵌め合わされると、コネクタ受部５２側に設けられたピン端子（雄側）と、コネクタ５５側に設けられたピン端子（雌側）とが電気的に接続され、磁気検出器５０Ａから出力される磁気検知信号がコネクタ５５及びハーネス５６を介して送出される。
【００１８】
図４に示すように、コネクタ５５が磁気検出器５０Ａのコネクタ受部５２に接続されると、コネクタ５５の後端面５５Ａは磁気検出器５０Ａの後端面５１Ｆ、換言すれば後端面５１Ｆと面一な収容構造体２５の後端面２７（収容空間Ｒ１）より、後方に僅かに突出した状態となる。
【００１９】
次に、収容構造体２５の後端面２７と対向し、挿入孔２６の一部を閉塞するように取り付けられる抜け止めカバー６０について詳説する。抜け止めカバー６０は、ほぼＶ字状の全体形状を呈する板体であって、複数のボス挿入孔６１Ａ；６１Ｂ及び、ネジ挿入孔６１Ｃが開設された基部６１と、中央部に形成された段部６５を有する。
基部６１において左右方向に分かれて形成されたボス挿入孔６１Ａ；６１Ｂは前後方向に貫通する孔であって、収容構造体２５の側壁部２５Ｂ；２５Ｃの外面にそれぞれ形成された位置決めボス２８Ａ；２８Ｂが挿入される。位置決めボス２８Ａ；２８Ｂは、側壁部２５Ｂ；２５Ｃの外面に沿って前後方向に延在する円筒体であって、その先端部が、後端面２７よりも後方に突出する。そして、抜け止めカバー６０の取り付けに際しては、位置決めボス２８Ａ；２８Ｂをボス挿入孔６１Ａ；６１Ｂ内に挿入することにより、抜け止めカバー６０が、収容構造体２５の後端面２７に対して適切に位置決めされる。
【００２０】
ネジ挿入孔６１Ｃは、Ｖ字状を呈する基部６１の頂部と対応する位置において、前後方向に貫通する孔であって、抜け止めカバー６０が適正に位置決めされた状態において、収容構造体２５の下壁部２５Ｅの外面に形成されたネジ穴２９Ａと対応する位置に設けられる。ネジ穴２９Ａは、下壁部２５Ｅの外面に沿って前後方向に延在するボス部２９の先端部に開設されている。そして、抜け止めカバー６０が適正に位置決めされた状態において、抜け止めカバー６０の後方から、ネジ挿入孔６１Ｃを経由してネジ穴２９Ａに止めねじが螺合されることにより、抜け止めカバー６０が収容構造体２５の挿入孔２６の一部を閉塞するように取り付けられる。
【００２１】
段部６５は、抜け止めカバー６０における中央部において、Ｕ字状を呈する領域である。図５に示すように、当該領域における板厚（前後方向の寸法）Ｄ３は、基部６１の板厚Ｄ４よりも薄厚に設定されている。より詳細には、段部６５におけるコネクタ５５の後端面５５Ａと対向する支持面６５Ａと収容構造体２５の後端面２７（５１Ｆ）との前後方向の離間寸法Ｄ５は、後端面２７（５１Ｆ）から突出するコネクタ５５の後端面５５Ａの突出寸法と一致している。つまり、段部６５は収容構造体２５の後端面２７よりも後方に突出するコネクタ５５の突出寸法に対応して形成された逃げ部として設けられており、支持面６５Ａがコネクタ５５の後端面５５Ａと当接することにより、突出して設けられたコネクタ５５が脱落することが防止される。
【００２２】
また、Ｕ字状に形成された段部６５の中央部には、ハーネス導出口６７が上下方向に延在する切欠きとして形成されている。当該ハーネス導出口６７からは、抜け止めカバー６０の段部６５によって支持されたコネクタ５５より延在する複数のハーネス５６が引き出されて外部に導出される。
【００２３】
以上の構成からなる抜け止めカバー６０が、収容構造体２５に止めねじを介して取り付けられた場合の効果について説明する。図５に示すように、抜け止めカバー６０が収容構造体２５の後方に取り付けられた場合、抜け止めカバー６０の左右方向に形成された基部６１における収容構造体２５の後端面２７、及び磁気検出器５０Ａの後端面５１Ｆと対向する支持面６２の一部が後端面２７及び後端面５１Ｆの一部と密着した状態で接触するため、磁気検出器５０Ａが収容構造体２５の収容空間Ｒ１から脱落することが防止される。
さらに、抜け止めカバー６０が収容構造体２５取り付けられた場合、抜け止めカバー６０の中央部に形成された段部６５における支持面６５Ａの一部がコネクタ５５の後端面５５Ａの一部と密着した状態で接触するため、例えば遊技盤３０の検査工程や、一部の不正を働く者等の行為によってハーネス５６が引っ張られた場合であっても、磁気検出器５０Ａのみならず、コネクタ５５が磁気検出器５０Ａのコネクタ受部５２から脱落することが防止される。
【００２４】
即ち、本実施形態に係る磁気検出器の取付構造によれば、コネクタ５５の一部（後端面５５Ａ）が磁気検出器５０Ａに対して突出した状態で接続されている場合であっても、コネクタ５５の突出寸法に対応して形成された逃げ部としての段部６５を有する抜け止めカバー６０によって、磁気検出器５０Ａ自体の収容空間Ｒ１からの脱落のみならず、磁気検出器５０Ａに接続されたコネクタ５５の脱落を確実に防止できる。
【符号の説明】
【００２５】
１  パチンコ機，２５  収容構造体，２６  挿入孔，２７  後端面，３０  遊技盤，
５０Ａ乃至５０Ｄ  磁気検出器，５１Ｆ  後端面，５２  コネクタ受部，
５５  コネクタ，５５Ａ  後端面，５６  ハーネス，６０  抜け止めカバー，
６１  基部，６５  段部，６５Ａ  支持面，６７  ハーネス導出口。
【図１】
2014045882.tif 000003
【図２】
2014045882.tif 000004
【図３】
2014045882.tif 000005
【図４】
2014045882.tif 000006
【図５】
2014045882.tif 000007